(57)【特許請求の範囲】
【請求項１】
刈取り穀稈の穂先側が脱穀搬送装置によって扱室の受網と扱胴との間を移送されて脱穀処理するように構成した脱穀機であって、
前記受網を、扱胴周方向に沿う縦桟部材の複数と、扱胴軸芯方向に沿う横桟部材の複数とが組み合って成る格子受網で構成し、
前記複数の横桟部材のうちの扱室奥側に位置して脱穀穀稈の穂先側を支持するする複数の穂先側横桟部材として、外径が大小異なる大径穂先側横桟部材と小径穂先側横桟部材を設け、
前記大径穂先側横桟部材の扱室内側端から扱胴軸芯までの距離を、前記複数の横桟部材のうちの前記各穂先側横桟部材よりも脱穀搬送装置側に位置する株元側横桟部材の扱室内側端から扱胴軸芯までの距離より小に設定し、
前記小径穂先側桟部材の扱室内側端から扱胴軸芯までの距離を、前記株元側横桟部材のその距離と同一に設定してある脱穀機。
【発明の詳細な説明】
【０００１】
【発明の属する技術分野】
本発明は、刈取り穀稈の穂先側が脱穀搬送装置によって扱室の受網と扱胴との間を移送されて脱穀処理するように構成した脱穀機に関する。
【０００２】
【従来の技術】
上記脱穀機として、従来、扱室の受網がクリンプ網で成るものがあった。また、たとえば特開昭６３‐２４８３１８号公報に示されるように、受網が合成樹脂網で成るものがあった。
【０００３】
【発明が解決しようとする課題】
受網の目合いが小さいよりも大きい方が、脱穀粒が受網から漏下しやすくなり、脱穀負荷が低減するなどによって脱穀処理が能率よくできる。ところが、従来のクリンプ網の場合も、合成樹脂網の場合も、脱穀負荷に耐えられる必要な強度を備えさせると目合いが比較的小さいものになることから、脱穀処理能率をあまりアップできなった。また、穀稈が雨や露でぬれているなど、穀稈の水分が高い場合、受網に目詰まりが発生しやすくなっていた。
本発明の目的は、コンパクトでありながら、かつ、塵埃発生を抑制しながら能率よく脱穀処理できるとともに高水分時でも受網詰まりが発生しにくい脱穀機を提供することにある。
【０００４】
【課題を解決するための手段】
請求項１による発明の構成、作用、効果はつぎのとおりである。
【０００５】
〔構成〕
刈取り穀稈の穂先側が脱穀搬送装置によって扱室の受網と扱胴との間を移送されて脱穀処理するように構成した脱穀機であって、
前記受網を、扱胴周方向に沿う縦桟部材の複数と、扱胴軸芯方向に沿う横桟部材の複数とが組み合って成る格子受網で構成し、
前記複数の横桟部材のうちの扱室奥側に位置して脱穀穀稈の穂先側を支持するする複数の穂先側横桟部材として、外径が大小異なる大径穂先側横桟部材と小径穂先側横桟部材を設け、
前記大径穂先側横桟部材の扱室内側端から扱胴軸芯までの距離を、前記複数の横桟部材のうちの前記各穂先側横桟部材よりも脱穀搬送装置側に位置する株元側横桟部材の扱室内側端から扱胴軸芯までの距離より小に設定し、
前記小径穂先側桟部材の扱室内側端から扱胴軸芯までの距離を、前記株元側横桟部材のその距離と同一に設定してある。
【０００６】
〔作用〕
受網を格子受網とし、脱穀処理物が迅速に漏下しやすいように比較的大きな目合いを受網に備えさせながら、その目合いの大きさの割りには優れた受網強度を発揮させるものである。
【０００７】
脱穀対象穀稈の穂先側に前記穂先側横桟部材が対応することにより、その穂先側が穂先側横桟部材に支持されて扱胴による扱き作用が受けやすい状態で、株元側が株元側横桟部材で支持されて扱胴による扱き作用を抑制した状態で脱穀処理されるものである。すなわち、穂先側も株元側も扱胴軸芯までの距離が長い横桟部材で支持されるものに比し、穂先側に扱き作用が及びやすくなり、脱穀不足を発生しにくくしながら脱穀処理できる。穂先側も株元側も扱胴軸芯までの距離が短い横桟部材で支持されるものに比し、扱胴の株元側に対する扱き作用が軽減し、切れワラなどを発生しにくくしながら脱穀処理できる。
これにより、扱室に比較的多くの穀稈を供給しても、穀稈水分が比較的高くても、穀稈供給量の割りには面積の小さい受網で脱穀処理物を詰まりが発生しにくい状態で迅速に漏下させながら、かつ、塵埃や脱穀不足の発生を抑制しながら脱穀処理できる。
【０００８】
〔効果〕
刈取り穀稈の穂先側を脱穀搬送装置によって扱室に供給して損傷穀粒を少なく抑制しながら脱穀処理できるものを、穀稈を水分が高くても扱室に迅速に供給したり多量に供給したりして能率よく脱穀処理できるとともに、脱穀不足や脱穀塵埃が発生しにくい状態に得られる。
しかも、脱穀部を小型化し、運転しやすいとか取扱いやすいコンバインを構成でるなど大きさの面で有利なものにできる。
【００１７】
【発明の実施の形態】
図１に示すように、脱穀フィードチェーンで成る脱穀搬送装置１によって刈取り穀稈の株元側を挟持して搬送させることによって、その刈取り穀稈の穂先側を扱室２に供給するとともに脱穀機前後向きの軸芯３ａまわりで回動する扱胴３と受網２０との間を移送させて脱穀処理し、脱穀排ワラを脱穀搬送装置１によって扱室２の後部の排稈口４から搬出するとともに排ワラ搬送チェーン５によって脱穀機後部の排出口から脱穀機外に排出するように脱穀部を構成してある。前記排稈口４から排出される切れワラなどの脱穀塵埃を揺動選別装置６が一体揺動自在に支持する移送体７によって機体後方側に移送させながら脱穀機横向きの軸芯まわりで回動する処理胴８によってほぐし処理し、脱穀塵埃から穀粒を取り出すように再処理部を構成してある。前記扱室２の下方に前端側が位置する前記揺動選別装置６、この揺動選別装置６の前端部の下方に位置する回転ファン１１ａを有する第１送風装置１１、この第１送風装置１１の機体後方側に位置する第２送風装置１２、揺動選別装置６の後端部の下方に位置する回転ファン１３ａを有する第３送風装置１３などを備え、扱室２から受網２０を漏下して落下供給される脱穀処理物、及び、再処理部から落下する処理物を揺動選別装置６によって受け止めて扱胴軸芯に沿う方向で機体後方側に搬送しながら選別処理するとともに各送風装置１１，１２，１３からの選別風を作用させて風選別処理し、選別塵埃を選別風と共に排塵口１４から脱穀機外に排出したり、排塵ファン１５によって吸引して脱穀機外に排出するように選別部を構成してある。揺動選別装置６からの１番処理物を脱穀機横外側に搬出する１番スクリューコンベア１６、揺動選別装置６からの２番処理物を脱穀機横外側に搬出する２番スクリューコンベア１７を前記選別部の底部に設けるとともに、２番スクリューコンベア１７からの処理物をスクリューコンベアで成る還元装置１８によって脱穀機横外側で扱室後付近に揚送して脱穀機内に放出することによって受網２０と脱穀機横側壁との間を通して揺動選別装置６の前端側に還元するように構成し、もって、コンバイン用の脱穀機を構成してある。
【００１８】
前記揺動選別装置６の選別枠６ａを、この選別枠６ａの前端側に連結するガイド装置１９ａと、選別枠６ａの後端側に連結する駆動装置１９ｂとによって脱穀機体の左右横側壁にわたって駆動揺動自在に支持させ、この選別枠内の上部に扱胴軸芯に沿う方向に並んで位置するグレンパン６ｂとチャフシーブ６ｃとストローラック６ｄ、並びに、チャフシーブ６ｃの下方に位置するグレンシーブ６ｅなどを前記選別枠体６ａに一体揺動自在に支持させて、前記揺動選別装置６を構成してある。すなわち、扱室２の前側から受網２０を漏下した脱穀処理物をグレンパン６ｂによって受け止めて機体後方側に移送しながら穀粒と塵埃とに粗選別処理し、グレンパン６ｂからの処理物をチャフシーブ６ｃによって受け継いで機体後方に移送しながら穀粒と塵埃とに精選別処理し、チャフシーブ６ｃを漏下した処理物をグレンシーブ６ｅによってさらに精選別処理し、グレンシーブ６ｅからの１番選別処理物を１番スクリューコンベア１６に、２番選別処理物を２番スクリューコンベア１７にそれぞれ落下供給する。チャフシーブ６ｃ及び前記再処理部からの処理物を穀粒と切れワラなどの塵埃とに選別し、穀粒を２番スクリューコンベア１７に落下供給し、塵埃を前記排塵口１４から機体外に放出する。
【００１９】
第１送風装置１１は、前記グレンパン６ｂの下方近くに位置する前記回転ファン１１ａと、この回転ファン１１ａの前側に吸気口１１ｂを、回転ファン１１ａの後側の前記第２送風装置１２の上側に排気口１１ｃをそれぞれ形成するファンケースとで成り、回転ファン１１ａによって選別部の前端側から吸気し、排気口１１ｃから選別風を第２送風装置１２の上方を通って選別枠６ａを下側から上側に吹き抜けるように供給してグレンパン６ｂとチャフシーブ６ｃの間の選別作用部、及び、チャフシーブ６ｃの前端側による選別作用部に供給し、この選別作用部の処理物に作用させるように構成してある。すなわち、揺動選別装置６のグレンパン６ｂからの粗選別処理物に選別風を作用させるようにしてある。
【００２０】
第２送風装置１２は、回転羽根１２ａを有する唐箕で成り、選別風を選別枠６ａを下側から上側に吹き抜けるように供給してチャフシーブ６ｃ及びグレンシーブ６ｅの下方の風選経路部、チャフシーブ６ｃの後端部による選別作用部、ストローラック６ｄによる選別作用部に供給し、これら風選経路部と選別作用部の処理物に作用させるように構成してある。すなわち、揺動選別装置６のチャフシーブ６ｃとグレンシーブ６ｅとによる精選別処理物、及び、ストローラック６ｄによる選別処理物に選別風を作用させるようにしてある。
【００２１】
第３送風装置１３は、１番スクリューコンベア１６と２番スクリューコンベア１７との間に位置する前記回転ファン１３ａと、この回転ファン１３ａの下側に吸気口１３ｂを、回転ファン１３ａの上側に排気口１３ｃをそれぞれ形成するファンケースとで成り、回転ファン１３ａによって脱穀機の下方から吸気し、排気口１３ｃから選別風を第２スクリューコンベア１７の上方を通して選別枠６ａを下側から上側に吹き抜けるように供給してストローラック１３による選別作用部に供給し、この選別作用部による選別処理物に作用させるように構成してある。
【００２２】
図３，図４及び図５などに示すように、前記受網２０は、扱胴３の周方向に沿うように扱胴軸芯３ａに沿う方向視で円弧形状に形成し、かつ、板厚方向が扱胴軸芯方向で横幅方向が扱胴半径方向に沿うように形成した帯板金で成る縦桟部材２３の複数本と、扱胴軸芯３ａに沿う方向の直線状の丸棒鋼材で成る第１横桟部材２４ａ，２４ｂの２本と、扱胴軸芯３ａに沿うとともに第１横桟部材２４ａ，２４ｂよりも富んだ弾性を有するように、かつ、第１横桟部材２４ａ，２４ｂの横断面積よりも小さい横断面積を備えるように第１横桟部材２４ａ，２４ｂを形成する丸棒鋼材よりも小さい外径の直線状の丸鋼線材で成る第２横桟部材２５ａ，２５ｂの複数本と、扱胴軸芯３ａに沿う方向の帯板金で成る２本の枠体２１，２２とを次の如く組み合わせて作成してある。
【００２３】
複数本の縦桟部材２３が扱胴軸芯３ａに沿う方向に所定の縦桟部材間隔を隔てて並列し、第１横桟部材２４ａ，２４ｂと第２横桟部材２５ａ，２５ｂとが扱胴周方向に沿う方向に所定の横桟部材間隔を隔てて並列し、第１横桟部材２４ａ，２４ｂどうしの間と、一方の第１横桟部材２４ｂよりも扱室奥側と、他方の第１横桟部材２４ａよりも脱穀搬送装置側とのそれぞれに複数本の第２横桟部材２５ａ，２５ｂが位置する格子状態に組み合わせてある。また、第１横桟部材２４ａ，２４ｂの中間部も、第２横桟部材２５ａ，２５ｂの中間部も複数本の縦桟部材２３のうちの最も分割格子受網前端側に位置する縦桟部材２３と、最も分割格子受網後端側に位置する縦桟部材２３との両端縦桟部材２３，２３を除く縦桟部材２３の貫通孔で成る桟孔を通り、前記両端縦桟部材２３，２３が全ての横桟部材２４ａ，２４ｂ，２５ａ，２５ｂの端部どうしを連結し、前記枠体２１，２２が全ての縦桟部材２３の端部どうしを連結する格子状態にしてある。
【００２４】
つまり、受網２０は、複数本の縦桟部材２３と、複数本の横桟部材２４ａ，２４ｂ，２５ａ，２５ｂとが扱胴３の周方向及び軸芯方向に並ぶ穀粒漏下用の目合を形成するように、かつ、全ての目合いの大きさが同一又はほぼ同一になるように格子状態に組み合った格子受網になっている。さらに、前記第１横桟部材２４ａ，２４ｂ及び第２横桟部材２５ａ，２５ｂのうちの扱胴軸芯３ａの直下付近から扱室２の奥側に位置する全ての横桟部材２４ｂ，２５ｂが穂先側横桟部材となって穂先側横桟部材群Ａを形成し、この穂先側横桟部材群Ａよりも脱穀搬送装置１が存在する方に位置する全ての横桟部材２４ａ，２５ａが株元側横桟部材になる格子受網になっており、脱穀搬送装置１によって扱室２に供給される刈取り穀稈を、軸芯３ａまわりで回動する扱胴３との共働によって脱穀する。すなわち、扱室２に供給される脱穀対象穀稈の穂先部を穂先側横桟部材群Ａのうちの穂先部に対接する一部の穂先側横桟部材２４ｂ，２５ｂによって受け止め支持しながら、扱室２に供給される脱穀対象穀稈の株元側を前記穂先側横桟部材群Ａよりも脱穀搬送装置側に位置する株元側横桟部材２４ａ，２５ａによって受け止め支持しながら、扱胴３を穀稈に扱き作用させる。穀稈から離脱した穀粒などの脱穀処理物を前記目合いから漏下させて揺動選別装置６に供給する。
【００２５】
前記穂先側横桟部材群Ａを形成している第１横桟部材２４ｂ以外の全ての第２横桟部材２５ｂも、前記株元側横桟部材を形成している第１横桟部材２４ａも第２横桟部材２５ａも、これら横桟部材２４ｂ，２５ａ，２５ｂそれぞれの扱室内側端が扱胴軸芯３ａを中心とする仮想円Ｓ１の線上に位置するように、穂先側横桟部材群Ａを形成している１本の第１横桟部材２４ｂは、これの扱室内側端が前記仮想円Ｓ１よりも扱胴側に入り込んで位置するように、各横桟部材２４ａ，２４ｂ，２５ａ，２５ｂを組み付けてある。これにより、穂先側横桟部材群Ａを形成する複数本の横桟部材２４ｂ，２５ｂのうちの１本の穂先側横桟部材２４ｂのみの扱室内側端から扱胴軸芯３ａまでの距離Ｄ１が、穂先側横桟部材群Ａよりも脱穀搬送装置１の方に位置する株元側横桟部材２４ａ，２５ａの扱室内側端から扱胴軸芯３ａまでの距離Ｄ２よりも短くなっており、脱穀対象穀稈の穂先側を穂先側横桟部材２４ｂで支持されて扱胴３による扱き作用が受けやすい状態にして、株元側を株元側横桟部材２４ａ，２５ａで支持されて扱胴３による扱き作用が抑制される状態にして脱穀処理できる。
【００２６】
前記受網２０は、図３及び図４に示す取付け構造に基づいて脱穀部に取り付けるように構成してある。
すなわち、扱室２の前側壁３０の内面側に前受網ガイド３１を、扱室２の後側壁３２の内面側に後受網ガイド３３をそれぞれ支持させ、前受網ガイド３１と後受網ガイド３３と下舌板３６とにわたって受網２０を受け止め支持させるようにしてある。
つまり、受網２０の複数本の縦桟部材２３のうちの最も受網前端側に位置する縦桟部材２３を、前記前受網ガイド３１の扱胴周方向に沿う一連の受網支持部に載せて受け止め支持させる。受網２０の複数本の縦桟部材２３のうちの最も受網後端側に位置する縦桟部材２３を、前記後受網ガイド３３の扱胴周方向に沿う一連の受網支持部に載せて受け止め支持させる。複数本の縦桟部材２３のうちの一部の縦桟部材２３の株元側端部の下端側に備えさせてある載置突起２３ｃを、下舌板３６の傾斜板部の内面側に載せて受け止め支持させる。
【図面の簡単な説明】
【図１】脱穀機全体の縦断側面図
【図２】脱穀部の横断正面図
【図３】脱穀機の一部の縦断側面図
【図４】格子受網の断面図
【図５】格子受網の平面図
【図６】格子受網の一部の断面図
【符号の説明】
１      脱穀搬送装置
２      扱室
３      扱胴
３ａ    扱胴軸芯
２０    受網
２３    縦桟部材
２４ａ，２５ａ  株元側横桟部材
２４ｂ，２５ｂ  穂先側横桟部材
Ｄ１    穂先側横桟部材から扱胴軸芯までの距離
Ｄ２    株元側横桟部材から扱胴軸芯までの距離
【図１】
0003540933.tif 000002
【図２】
0003540933.tif 000003
【図３】
0003540933.tif 000004
【図４】
0003540933.tif 000005
【図５】
0003540933.tif 000006
【図６】
0003540933.tif 000007